(57)【要約】【課題】柔軟性プラスチック床板を提供する。【解決手段】床板上層に設置される第１層プラスチック床板および第１層プラスチック床板と重ね合わせて対応状に堆積またはオフセット状にＬ型を呈する第２層プラスチック床板を含み、第２層プラスチック床板底部が地面の凹凸面に合わせて貼り合わせる第３層柔軟性スポンジ材質の床板を張り合わせてなり、地面の凹凸または弧度に合わせて実装できるようにし、柔軟性を利用し、湾曲の特性が硬性の材質の従来の床板に置き換えることができることを特徴とする柔軟性プラスチック床板を提供する。【選択図】図１
0003135599.tif 000002
【実用新案登録請求の範囲】
【請求項１】
第１層プラスチック床板であって、表面および底面を有し、且つ柔軟性材質の特性を有し、該第１層プラスチック床板辺縁が第１多辺形を形成し、且つ該第１層プラスチック床板の表面が地面の上面となることができる第１層プラスチック床板と、
第２層プラスチック床板であって、表面および底面を有し、且つ柔軟性材質の特性を有し、該第２層プラスチック床板辺縁が第２多辺形を形成し、第２層プラスチック床板の表面は第１層プラスチック床板の底面に重ね合わせることができ、且つ該第１層プラスチック床板の底面と第２層プラスチック床板の表面は粘着剤が塗布される第２層プラスチック床板と
を含む柔軟性プラスチック床板。
【請求項２】
前記第１層プラスチック床板の第２層プラスチック床板への重ね合わせが、オフセット状重ね合わせを利用し、第１辺際オフセット部と第２辺際オフセット部を形成することができる請求項１記載の柔軟性プラスチック床板。
【請求項３】
前記第１プラスチック床板の表面と底面がパターン設計を有することができる請求項１記載の柔軟性プラスチック床板。
【請求項４】
前記第２層プラスチック床板の底面が床板の凹凸面に合わせて貼り付ける第３層柔軟性スポンジの床板を貼り付けてなる請求項１記載の柔軟性プラスチック床板。
【請求項５】
前記第１層プラスチック床板と第２層プラスチック床板との間に辺縁に第４多辺形を有する柔軟性繊維板材を貼り付けることができる請求項１記載の柔軟性プラスチック床板。
【請求項６】
前記第１層プラスチック床板と第２層プラスチック床板との間に取り外し可能な覆蓋物を有する請求項１記載の柔軟性プラスチック床板。
【請求項７】
第１多辺形および第２多辺形が直角形の多辺形であることができる請求項１記載の柔軟性プラスチック床板。
【考案の詳細な説明】
【技術分野】
【０００１】
本考案は、柔軟性プラスチック床板に関し、特に、凹凸または弧度を有する地面に実装できる柔軟性床板であり、柔軟性材質の設計によって、凹凸または弧度を有する地面に容易な実装を達成する柔軟性プラスチック床板に関する。
【背景技術】
【０００２】
従来の床板材質は、使用実装において、いずれも材質が硬い床板板材であり、通常、壊れ易い物品が床上に落ちた場合に、亀裂が発生し、更には容易に床板を損壊させ、且つ床板材質が硬いために、実装において比較的平坦な地面を選択しなければならず、凹凸または弧度を有する地面には実装が困難である。
【特許文献１】特開平５−１１３０２１号広報
【考案の開示】
【考案が解決しようとする課題】
【０００３】
本考案の目的は、床板上層に設置する第１層プラスチック床板と、第１層プラスチック床板と重ね合わせてなる対応状堆積またはオフセット状Ｌ型を呈する第２層プラスチック床板を含み、第２層プラスチック床板底部は地面の凹凸面に合わせて張り合わせることができる第３層柔軟性スポンジ材質を張り合わせた床板であり、地面の凹凸または弧度に合わせて実装でき、柔軟に湾曲する特性を利用し硬性材質の従来の床板に置き換えることを特徴とする柔軟性プラスチック床板を提供することである。
【課題を解決するための手段】
【０００４】
本考案は、第１層プラスチック床板であって、表面および底面を有し、且つ柔軟性材質の特性を有し、該第１層プラスチック床板辺縁が第１多辺形を形成し、且つ該第１層プラスチック床板の表面が地面の上面となることができる第１層プラスチック床板と、第２層プラスチック床板であって、表面および底面を有し、且つ柔軟性材質の特性を有し、該第２層プラスチック床板辺縁が第２多辺形を形成し、第２層プラスチック床板の表面は第１層プラスチック床板の底面に重ね合わせることができ、且つ該第１層プラスチック床板の底面と第２層プラスチック床板の表面は粘着剤が塗布される第２層プラスチック床板とを含む柔軟性プラスチック床板を提供する。
【考案の効果】
【０００５】
本考案は、床板上層に設置する第１層プラスチック床板と、第１層プラスチック床板と重ね合わせてなる対応状堆積またはオフセット状Ｌ型を呈する第２層プラスチック床板を含み、第２層プラスチック床板底部は地面の凹凸面に合わせて張り合わせることができる第３層柔軟性スポンジ材質を張り合わせた床板であり、地面の凹凸または弧度に合わせて実装でき、柔軟に湾曲する特性を利用し硬性材質の従来の床板に置き換えることを特徴とする柔軟性プラスチック床板を提供する。
【考案を実施するための最良の形態】
【０００６】
本考案の目的、効果、構造および特徴をより詳細で明確に理解するため、以下の好適な実施例を挙げ、図面にあわせて説明する。
【０００７】
図１は、本考案の柔軟性プラスチック床板の立体説明図であり、図から分かるように、本考案は、柔軟性の特質を有する第１層プラスチック床板１、第２層プラスチック床板２および第３層スポンジ床板３から組成され、
第１層プラスチック床板１の材質は、エチレンまたはポリエチレンで製成することができ（３５％のエチレンまたはポリエチレン、５４．５％の石油樹脂、１０％の鉱物質油、０．０５％の抗気化剤）、表面１１および底面１２を有し、表面１１には天然木材のような木目のパターン設計１１１を設けてなり、第１層プラスチック床板１の辺縁には第１多辺形を形成し、該第１多辺形は全て等しく直角であり、且つ該第１層プラスチック床板１の表面１１は、プラスチック床板の表面層としてなることができる。第２プラスチック床板２の材質は、エチレンまたはポリエチレンで製成することができ（３５％のエチレンまたはポリエチレン、５４．５％の石油樹脂、１０％の鉱物質油、０．０５％の抗気化剤）、表面２１と底面２２を有し、第２層プラスチック床板２のへ念は第２多辺形を有し、該第２多辺形は、全て等しく直角であり、第２層プラスチック床板２の表面２１は、第１層プラスチック床板１の底面に重ね合わせでき、且つ該第１層プラスチック床板１の底面１２と第２層プラスチック床板２の表面２１に粘着剤４を塗布する。第３層柔軟性スポンジ材質の床板は、表面３１および底面３２を有し、該第３層柔軟性スポンジ材質の床板３は、柔軟且つ湾曲するスポンジ材質から製成され、第３層柔軟性スポンジ材質の床板が所定の厚さと湾曲性を有し、且つ第３層柔軟性スポンジ材質の床板３と第２層プラスチック床板２は同一面積であり、第２層プラスチック床板２の底面に張り合わせることができる。
【０００８】
図２と図７は、本考案の柔軟性プラスチック床板の湾曲の説明図および柔軟性プラスチック床板を地面に設置した断面説明図であり、図から分かるように、本考案の柔軟性プラスチック床板１００は地面５の湾曲に合わせて実装でき、第３層柔軟性スポンジ材質の床板３は地面５に貼り付ける時、自身の柔軟性スポンジ材質を利用し凹凸のある地面５にしっかりと貼りつくことができる。
【０００９】
図３と図４と図７は、本考案の柔軟性プラスチック床板の重ね合わせ立体説明図と、柔軟性プラスチック床板の重ね合わせ断面説明図と柔軟性プラスチック床板を地面に貼り付けた断面説明図であり、該第１層プラスチック床板１および第二層プラスチック床板２は、オフセット状に重ね合わさり、第１層プラスチック床板１の第１長辺縁１０１と第２層プラスチック床板２の第２長辺縁２０１をＬ型に重ね合わせてなり、第１辺際オフセット部８０１を形成する。同様に、該第１柔軟性プラスチック床板１の第１短辺縁１０３と第２柔軟性プラスチック床板２の第１短辺縁２０３も両者がオフセット状に重ね合わさってＬ型になり、第２辺際オフセット部８０２を形成する。
【００１０】
そのうち、該第１柔軟性プラスチック床板１の第１長辺縁１０１と第２柔軟性プラスチック床板２の第１長辺縁２０１は同一の大きさおよび形状を有し、第１短辺縁１０３と第１短辺縁２０３も同一の大きさおよび形状を有し、且つ該第１層プラスチック床板１の底面１２は第２層プラスチック床板２の表面２１に張り付き、粘着剤４を利用して張り合わせることができ、該粘着剤４は、スチレンおよびイソプレンを有する弾性樹脂であり、該第３層柔軟性スポンジ材質の床板３は、第２層プラスチック床板２の底面に貼り付け、地面の凹凸または弧度に合わせて地面５に到達する状況に適合できる。
【００１１】
図５と図６は、柔軟性プラスチック床板の柔軟性繊維板材の組み合わせ説明図と柔軟性プラスチック床板の柔軟性繊維板材の断面説明図であり、図から分かるように、第１層プラスチック床板１と第２層プラスチック床板２の間に貼り付ける材質がガラス繊維であり、且つ辺縁は第４多辺形の柔軟性繊維板材６を有し、該柔軟性繊維板材６辺縁は第１長辺縁６０１を有し、且つ第１長辺縁６０１と第１層プラスチック床板１の第１長辺縁１０１は同一面積である。
【００１２】
図７は、柔軟性プラスチック床板を地面に貼り付けた断面説明図であり、図から分かるように、柔軟性プラスチック床板１００が地面５に張り付けられる時、地面５の不規則な湾曲および地面５上の凹凸物に対して、直接第３層柔軟性スポンジの床板３を合わせることができる。
【００１３】
図８は、本考案の取り外し可能な覆蓋物の平面説明図であり、図から分かるように、前記の取り外し可能な覆蓋物７は、柔軟性プラスチック床板１００の第１層プラスチック床板１および第２層プラスチック床板２の間に実装でき、その形状は、長方形体または柔軟性プラスチック床板１００と同一の大きさであり、該取り外し可能な覆蓋物７は長方形の枠体態様であり、外部には、外部第１長辺縁７０１、外部第２長辺縁７０２、外部第１短辺縁７０３、外部第２短辺縁７０４を形成し、内部には、内部第１長辺縁７１１、内部第２長辺縁７１２、内部第１短辺縁７１３、内部第２短辺縁７１４を形成し、そのうち、外部第１長辺縁７０１と外部第２長辺縁７０２は、長さが少なくとも第１層プラスチック床板１の第１長辺縁１０１および第２層プラスチック床板２の第１長辺縁２０１を超過し、外部第１短辺縁７０３と外部第２短辺縁７０４は、長さが少なくとも第１層プラスチック床板１の第１短辺縁１０３および第２層プラスチック床板２の第１短辺縁２０３を超過し、該取り外し可能な覆蓋物７内部の第１長辺縁７１１と内部第２長辺縁７１２は、第１層プラスチック床板１および第２層プラスチック床板２をオフセットに重ね合わせた後の第１長辺縁１０１と第２長辺縁２０２の長さに等しく、内部第１長辺縁７１３と内部第２短辺縁７１４も第１層プラスチック床板１および第２層プラスチック床板２をオフセットに重ね合わせた後の第１短辺縁１０３と第２短辺縁２０４の長さに等しい。
【００１４】
図９と図１０は、本考案の取り外し可能な覆蓋物の第１実施例の説明図と本考案の取り外し可能な覆蓋物の第２実施例の説明図であり、図から分かるように、該取り外し可能な覆蓋物７は、柔軟性プラスチック床板１００に実装する時、該取り外し可能な覆蓋物７の第２長表面７３と第２短表面７４は、いずれも第１層プラスチック床板１底部１２がオフセットした後の第２長辺縁１０２と第２短辺縁１０４に貼り付いてなり、該取り外し可能な覆蓋物７の第１長表面７１と第１短表面７２の底部は、第２層プラスチック床板２表面２１がオフセットした後の第１長辺縁２０１と第１短辺縁２０３に張り付いてなる。
【図面の簡単な説明】
【００１５】
【図１】本考案の柔軟性プラスチック床板の立体説明図である。
【図２】本考案の柔軟性プラスチック床板の湾曲説明図である。
【図３】本考案の柔軟性プラスチック床板の重ね合わせ立体説明図である。
【図４】本考案の柔軟性プラスチック床板重ね合わせ断面説明図である。
【図５】本考案の柔軟性プラスチック床板の柔軟性繊維板材組み合わせ説明図である。
【図６】本考案の柔軟性プラスチック床板の柔軟性繊維板材断面説明図である。
【図７】本考案の柔軟性プラスチック床板を地面に貼り付けた断面説明図である。
【図８】本考案の取り外し可能な覆蓋物の平面説明図である。
【図９】本考案の取り外し可能な覆蓋物の第１実施例の説明図である。
【図１０】本考案の取り外し可能な覆蓋物の第２実施例の説明図である。
【符号の説明】
【００１６】
１００  柔軟性プラスチック床板
１ 第１層プラスチック床板
１１ 表面
１２ 底面
１０１ 第１長辺縁
１０２ 第２長辺縁
１０３ 第１短辺縁
１０４  第２短辺縁
１１１ パターン設計
２ 第２層プラスチック床板
２１ 表面
２２ 底面
２０１ 第１長辺縁
２０２ 第２長辺縁
２０３ 第１短辺縁
２０４  第２短辺縁
３ 第３層プラスチック床板
３１ 表面
３２ 底面
４ 粘着剤
５ 地面
６ 柔軟性繊維板材
６０１  第１長辺縁
７ 取り外し可能な覆蓋物
７０１ 外部第１長辺縁
７０２ 外部第２長辺縁
７０３ 外部第１短辺縁
７０４  外部第２短辺縁
７１１ 内部第１長辺縁
７１２ 内部第２長辺縁
７１３ 内部第１短辺縁
７１４  内部第２短辺縁
７１ 第１長表面
７３ 第２長表面
７２ 第１短表面
７４ 第２短表面
８０１ 第１辺際オフセット部
８０２ 第１辺際オフセット部
【図１】
0003135599.tif 000003
【図２】
0003135599.tif 000004
【図３】
0003135599.tif 000005
【図４】
0003135599.tif 000006
【図５】
0003135599.tif 000007
【図６】
0003135599.tif 000008
【図７】
0003135599.tif 000009
【図８】
0003135599.tif 000010
【図９】
0003135599.tif 000011
【図１０】
0003135599.tif 000012